(57)【要約】【課題】、従来のバナーに代えて、リンクボタンとして機能しながら、広告の宣伝効果が高められ、前記広告と共に印象に残りやすいオブジェクトについて、検討した。【解決手段】ホームページ111に掲載される広告23を閲覧者に印象付ける広告方法であって、広告23は、ホームページ111にリンクボタンとして表示されるシンボルマーク２に掲載され、シンボルマーク２がクリックされると、シンボルマーク２に描かれた凹凸又は陰影を強調してシンボルマーク２を再表示した後、リンクボタンとしてシンボルマーク２に割り当てられたリンク先のホームページ121にジャンプさせる。【選択図】図１
2015060362.tif 000002
【特許請求の範囲】
【請求項１】
ホームページに掲載される広告を閲覧者に印象付ける広告方法であって、
広告は、ホームページにリンクボタンとして表示されるシンボルマークに掲載され、
シンボルマークがクリックされると、シンボルマークに描かれた凹凸又は陰影を強調してシンボルマークを再表示した後、リンクボタンとしてシンボルマークに割り当てられたリンク先のホームページにジャンプさせるホームページにおける広告方法。
【請求項２】
シンボルマークは、円形リングの半径方向外側に不規則な周縁が形成されたシーリングワックスであり、
広告は、前記円形リングの半径方向内側に掲載される請求項１記載のホームページにおける広告方法。
【請求項３】
シンボルマークがクリックされると、シンボルマークの周囲を暗転させると共に、シンボルマークに描かれた凹凸又は陰影を強調する請求項１又は２いずれか記載のホームページにおける広告方法。
【請求項４】
シンボルマークがクリックされると、凹凸又は陰影の強調と共に、シンボルマークが拡大表示される請求項１〜３いずれか記載のホームページにおける広告方法。
【請求項５】
シンボルマークがクリックされると、凹凸又は陰影の強調と共に、シンボルマークが斜視化される請求項１〜４いずれか記載のホームページにおける広告方法。
【請求項６】
シンボルマークがクリックされると、凹凸又は陰影の強調と共に、シンボルマークが自転運動又は公転運動する請求項１〜５いずれか記載のホームページにおける広告方法。
【発明の詳細な説明】
【技術分野】
【０００１】
本発明は、ホームページに掲載される広告を閲覧者に印象付ける広告方法に関する。
【背景技術】
【０００２】
ホームページは、様々な記事や写真が掲載されて構成される。ホームページのうち、商用目的のホームページは、前記記事や写真の間に広告が表示される。ホームページに表示される広告の多くは、リンクボタンを兼ねたバナー（長方形枠）である（特許文献１・［0003］）。ホームページの閲覧者がバナーをポインタでクリックすれば、前記バナーに付されたリンク情報に従って、現在閲覧しているホームページから広告の会社又は製品のホームページにジャンプさせられる。近年、バナーにポインタを重ねるだけで、バナー内の文字又は画像が動いたり、バナー自体が拡大表示されたりするものも見られる。
【先行技術文献】
【特許文献】
【０００３】
【特許文献１】特開2002-207919公報
【発明の概要】
【発明が解決しようとする課題】
【０００４】
バナーは、会社又は製品のホームページへ閲覧者を誘導する基点で、前記閲覧者の目を引くように、ポインタが重なるとバナー内の文字又は画像を動かしたり、バナー自体を拡大表示したりする。しかし、閲覧者は、ジャンプした先の会社又は製品のホームページに意識が注がれるものの、バナーそのものに印象が残るものではない。このため、バナーに掲載された広告の宣伝効果は低いと言わざるを得ない。ポインタが重なったバナー自体を拡大する手法は、バナーに付された広告の宣伝効果を高める手段とも考えられる。
【０００５】
バナーは、リンクボタンとしての性格が強く、ほとんどが長方形枠であり、そのものに特徴がない。このため、バナーに掲載された広告の宣伝効果が高めにくく、またバナーそのものが印象に残らない問題があった。広告を文字又は画像のみで表現すれば、ホームページの記事又は画像に埋没してしまうため、文字及び画像を組み合わせたオブジェクトとして広告を構成できる方が好ましい。そこで、従来のバナーに代えて、リンクボタンとして機能しながら、広告の宣伝効果が高められ、前記広告と共に印象に残りやすいオブジェクトについて、検討した。
【課題を解決するための手段】
【０００６】
検討の結果開発したものが、ホームページに掲載される広告を閲覧者に印象付ける広告方法であって、広告は、ホームページにリンクボタンとして表示されるシンボルマークに掲載され、シンボルマークがクリックされると、シンボルマークに描かれた凹凸又は陰影を強調してシンボルマークを再表示した後、リンクボタンとしてシンボルマークに割り当てられたリンク先のホームページにジャンプさせるホームページにおける広告方法である。
【０００７】
シンボルマークは、部分的又は全体的に何かを象徴する画像で、文字、記号及び図形を組み合わせて表され、単独で表示されたり、製品等の画像に描かれた又は貼られた状態で一緒に表示されたりする。具体的なシンボルマークは、円形リングの半径方向外側に不規則な周縁が形成されたシーリングワックスであり、広告は、前記円形リングの半径方向内側に掲載される構成を例示できる。円形リングは、シーリングワックス内と不規則な周縁との境界線であり、独立した線分であったり、不規則な周縁に対して明確な円周の段差であったりする。シーリングワックスに掲載される広告は、主に円形リングの半径方向内側に掲載されていれば、一部が前記円形リングの半径方向外側にはみ出していてもよい。広告は、会社や製品の紹介等の宣伝に用いられる文字、記号又は画像である。
【０００８】
本発明は、平面的に並べられるホームページの記事や画像に対して、視覚的に特徴のあるシンボルマークをリンクボタンとし、前記シンボルマークに掲載した広告に閲覧者の注意を惹かせる。そして、リンク先のホームページへジャンプしようと閲覧者がシンボルマークをクリックした後、リンク先のホームページにジャンプする前に、前記シンボルマークの凹凸又は陰影を強調することにより、リンクボタンとしてのシンボルマーク、そして前記シンボルマークに掲載された広告を閲覧者に印象づける。
【０００９】
ここで、「凹凸又は陰影を強調」するとは、２次元画像のシンボルマークならばコンストラストを強くすることであり、また３次元画像のシンボルマークならば立体感を強くすることを意味する。具体的には、凹凸を表現する高さ方向の段差を深くしたり、陰影を表す濃淡の差を大きくしたりして、シンボルマークのコンストラストや立体感を強調する。凹凸又は陰影が強調されたシンボルマークは、予め設定されたルールに従って元のシンボルマークから計算によって作り出し、表示を切り換えてもよいし、予め作成しておいたものに表示を切り換えるようにしてもよい。
【００１０】
クリックされたシンボルマークは、凹凸又は陰影の強調に加えて、その他の変形や運動が加わってもよい。例えば、シンボルマークがクリックされると、シンボルマークの周囲を暗転させると共に、シンボルマークに描かれた凹凸又は陰影を強調してもよい。シンボルマークの周囲を暗転させる（シンボルマークに対して相対的に暗くする）と、シンボルマークの凹凸又は陰影を強調する変化がより目立つようになる。また、シンボルマークがクリックされると、凹凸又は陰影の強調と共に、シンボルマークが拡大表示されたり、斜視化されたり、自転運動又は公転運動したりしてもよい。周囲の暗転や、拡大表示、斜視化、自転運動又は公転運動は、組み合わせて実行してもよい。
【００１１】
「拡大表示」は、文字通り、クリックされたシンボルマークを大きく表示し直すことを意味し、左右及び上下を等幅に拡大することを基本としながら、左右又は上下の拡大率を異ならせてもよい。「斜視化」は、クリックされたシンボルマークが斜めから見た姿勢に変更することを意味し、通常、手前に向けて起こすように斜視化するとよい。「自転運動」又は「公転運動」は、シンボルマーク内を貫通する自転軸（自転運動）か、シンボルマーク外に設定された公転軸（公転運動）を中心に、シンボルマークが回転することを意味する。
【発明の効果】
【００１２】
本発明は、長方形枠からなる特徴のないバナーに代えて、そのものに特徴のあるシンボルマークをリンクボタンとし、前記シンボルマークに広告を掲載することにより、前記シンボルマークに掲載された広告に注意が喚起されやすくなる。また、クリックされたシンボルマークの周囲が暗転したり、凹凸又は陰影を強調したりすることにより、シンボルマークが閲覧者に印象づけられ、前記シンボルマークに掲載された広告の宣伝効果も高められる。そして、シンボルマークが印象づけられることで、ホームページにおいて、シンボルマークをクリックさせて閲覧者をリンク先のホームページへ誘導しやすくなったり、ホームページ以外の宣伝媒体、例えば新聞広告や雑誌に掲載されたシンボルマークに購読者の注目を喚起できたりする効果も得られる。
【図面の簡単な説明】
【００１３】
【図１】本発明に基づくシンボルマークをホームページに表示した状態を表すブラウザの正面図である。
【図２】ホームページのシンボルマークをクリックした状態を表すブラウザの正面図である。
【図３】シンボルマークの周囲が暗転し、シンボルマークの凹凸及び陰影が強調された状態を表すブラウザの正面図である。
【図４】リンク先のホームページが新しいタブで開かれた状態を表すブラウザの正面図である。
【図５】クリックされたシンボルマークが拡大表示かつ凹凸及び陰影が強調された状態を表すブラウザの図３相当正面図である。
【図６】スマートフォンに好適な拡大表示処理を表すフローチャートである。
【図７】スアートフォンにおいて、タップされたシンボルマークが拡大表示かつ凹凸及び陰影が強調された状態を表すブラウザの図３相当正面図である。
【図８】クリックされたシンボルマークが斜視化かつ凹凸及び陰影が強調された状態を表すブラウザの図３相当正面図である。
【図９】クリックされたシンボルマークの凹凸及び陰影が強調され、自転運動している状態を表すブラウザの図３相当正面図である。
【図１０】クリックされたシンボルマークの凹凸及び陰影が強調され、公転運動している状態を表すブラウザの図３相当正面図である。
【発明を実施するための形態】
【００１４】
以下、本発明を実施するための形態について図を参照しながら説明する。本発明に基づくシンボルマーク２は、例えば図１に見られるように、ブラウザ１に表示されるホームページ111の右肩当たりに、リンクボタンとして配置される。本例のブラウザ１は、タブブラウザで、リンク元のホームページ111は、リンク元のタブ11の表示画面に表示されている。説明の便宜上、リンク元のタブ11が１つだけ開いた格好になっているが、複数のタブが開いた状態であってもよい。リンク元のホームページ111は、シンボルマーク２のほか、記事や画像が掲載される（図示略）。
【００１５】
また、本例のシンボルマーク２は、円形リング21の半径方向外側に不規則な周縁22が形成されたシーリングワックスである。広告23は、前記円形リング21の半径方向内側に、完全に収まるように掲載されている。本例の広告23は、図示の便宜上、簡単な２文字で表している。シーリングワックスからなるシンボルマーク２は、本例のように、自身単独で表示されるほか、例えば立体的に見える缶ビール等の側面に倣って湾曲して表示される場合もある。後者の場合、湾曲したシンボルマーク２のみをリンクボタンとしてもよいし、缶ビール等も含めた全体をリンクボタンとしてもよい。
【００１６】
シンボルマーク２は、リンクボタンとして次のように表示を変化させる。閲覧者がポインタ３を操作してシンボルマーク２に重ね、図２に見られるようにクリックすると、すぐにリンク先のホームページ121（図４参照）にジャンプするのではなく、図３に見られるように、シンボルマーク２の周囲が暗転し、併せて前記シンボルマーク２の凹凸及び陰影が強調される。これにより、シンボルマーク２は、ホームページ121の記事や写真と並んで表示されていた場合に比べて、存在が強調され、閲覧者に印象づけることができる（図１及び図３比較対照）。
【００１７】
シンボルマーク２は、円形リング21や不規則な周縁22を描く線を太くし、凹凸を強調するほか、円形リング21を凸、円形リング21の半径方向内側及び外側を凹とみなして、凹となる前記円形リング21の半径方向内側及び外側を暗色にして、陰影を強調している。また、シンボルマーク２を除くホームページ111の記事、画像や背景は、単色の彩度又は明度いずれか一方又は双方を落として全体が均一に暗くなったスクリーン（又はメッシュ）を重ねて暗転させるとよい。スクリーンは、明度を落とした白黒のスクリーンのほか、シンボルマーク２を構成する色の補色の明度を落としたスクリーンでもよい。
【００１８】
リンク先のホームページ121は、図４に見られるように、シンボルマーク２をクリックした段階から一定時間経過後、例えば新しいタブ12の画面で開く。リンク先のホームページ121は、新しいウィンドウの画面で開いてもよい。本例は、リンク先のホームページ121にもシンボルマーク２を表示している。しかし、前記ホームページ121は広告23で表された会社又は製品を紹介するものなので、シンボルマーク２を必ずしも表示する必要はない。また、リンク先のホームページ121に表示されたシンボルマーク２は、リンクボタンでなくてもよいし、別のホームページにジャンプするリンク先を付したリンクボタンとして用いてもよい。
【００１９】
クリックされたシンボルマーク２は、凹凸又は陰影の強調に変形や運動を加えると、より存在が強調され、閲覧者に印象づけることができる。例えば、クリックされたシンボルマーク２は、図５に見られるように、凹凸又は陰影を強調することに加え、ホームページ111の中央に移動させ、拡大表示すると、広告23が拡大されて認識しやすくなると共に、閲覧者に強く印象づけることができる。図５に示す例は、シンボルマーク２の周囲を暗転させていないが、上記例示（図１〜図４）同様、シンボルマーク２の周囲を暗転させてもよい。シンボルマーク２がクリックされてから一定時間経過後、新しいタブ12の画面を開いてリンク先のホームページ121を表示する（図４参照）。
【００２０】
ここで、スマートフォンや小型タブレット（例えば７インチタブレット）は、画面が小さく、シンボルマーク２を指４でクリック（タップ）した際、前記指４が画面にかかり、画面全体に拡大表示されたシンボルマーク２を全部見ることができない。そこで、スマートフォンや小型タブレットにおいて、図６及び図７に見られるように、ブラウザ起動後、画面を指定された区分に分割（例えば４分割）し、まずクリック（タップ）されたシンボルマーク２が本発明適用のリンクボタンであるかを確認後、前記シンボルマーク２がクリック（タップ）された分割画面13を判定し、前記分割画面13の対角に位置する分割画面14にシンボルマーク２を拡大表示するとよい。これにより、確実に指４を避けてシンボルマーク２を拡大表示できるので、広告23全体がもれなく認識され、閲覧者に強く印象づけることができる。
【００２１】
また、クリックされたシンボルマーク２は、図８に見られるように、凹凸又は陰影を強調することに加え、ホームページ111に対して奥側（画面上側）を引き起こす又は手前側を押し下げることにより斜視化すると、広告23を含めたシンボルマーク２の立体感が強調され、閲覧者に強く印象づけることができる。図８に示す例は、シンボルマーク２の周囲を暗転させていないが、上記例示（図１〜図４）同様、シンボルマーク２の周囲を暗転させてもよい。シンボルマーク２がクリックされてから一定時間経過後、新しいタブ12の画面を開いてリンク先のホームページ121を表示する（図４参照）。
【００２２】
更に、クリックされたシンボルマーク２は、図９に見られるように、凹凸又は陰影を強調することに加え、ホームページ111に対して奥側（画面上側）を引き起こす又は手前側を押し下げることにより斜視化した上で、前記シンボルマーク２を上下（画面上下）に貫通する自転軸24を中心に自転運動させると、シンボルマーク２の存在がホームページ111の中で異質に映り、閲覧者に強く印象づけることができる。図９に示す例は、シンボルマーク２の周囲を暗転させていないが、上記例示（図１〜図４）同様、シンボルマーク２の周囲を暗転させてもよい。シンボルマーク２がクリックされてから一定時間経過後、新しいタブ12の画面を開いてリンク先のホームページ121を表示する（図４参照）。
【００２３】
そして、クリックされたシンボルマーク２は、図10に見られるように、凹凸又は陰影を強調することに加え、ホームページ111に対して奥側（画面上側）を引き起こす又は手前側を押し下げることにより斜視化した上で、前記シンボルマーク２近傍を上下（画面上下）に貫通する公転軸25を中心に自転運動させると、シンボルマーク２の存在がホームページ111の中で異質に映り、閲覧者に強く印象づけることができる。図10に示す例は、シンボルマーク２の周囲を暗転させていないが、上記例示（図１〜図４）同様、シンボルマーク２の周囲を暗転させてもよい。シンボルマーク２がクリックされてから一定時間経過後、新しいタブ12の画面を開いてリンク先のホームページ121を表示する（図４参照）。
【符号の説明】
【００２４】
１  ブラウザ
11    リンク元のタブ
111  リンク元のホームページ
12  リンク先のタブ
121  リンク先のホームページ
13  タップされた分割画面
14  表示される分割画面
２  シンボルマーク（シーリングワックス）
21  円形リング
22  不規則な周縁
23  広告（ＡＢ）
24  自転軸
25  公転軸
３  ポインタ
４  指
【図１】
2015060362.tif 000003
【図２】
2015060362.tif 000004
【図３】
2015060362.tif 000005
【図４】
2015060362.tif 000006
【図５】
2015060362.tif 000007
【図６】
2015060362.tif 000008
【図７】
2015060362.tif 000009
【図８】
2015060362.tif 000010
【図９】
2015060362.tif 000011
【図１０】
2015060362.tif 000012